(57)【要約】  本発明は可撓性チューブを巻き取るための器具を提供し、本器具は二枚の同一のブレード（ＬＡ、２１、２２）を備え、これらブレードは一方が他方に対して曲がりの向きが反対となるように配置され、かつ、旋回軸（ＰＩＶ）を共に形成するこれらのそれぞれの軸対称の軸に対して回転可能に固定されている。  本器具は以下の点で注目に値する。  ・一方のブレード（ＬＡ）が、その左縁部で上方に開口したノッチ（ＥＣ）を有し、該ノッチは、その右縁部上かつ該ブレードの長手方向軸線（ＬＧ）上に位置する接続点（ＰＲ）を原点とする第一の円弧（ＡＲＣ１）によって形成され、  ・前記第一の円弧の直径が前記長手方向軸線上にあり、かつ、  ・会前記第一の円弧が１８０°以上の中心角（α）を有する。
2020528298.tif 000002
【特許請求の範囲】
【請求項１】
可撓性チューブを巻き取るための器具であって、二枚の同一のブレード（ＬＡ、２１、２２）を備え、これらブレードは一方が他方に対して曲がりの向きで反対となるように配置され、かつ、旋回軸（ＰＩＶ）を共に形成するこれらのそれぞれの軸対称の軸に対して回転可能に固定されている器具において、
・一方のブレード（ＬＡ）が、その左縁部で上方に開口したノッチ（ＥＣ）を有し、該ノッチは、ノッチの右縁部上かつ該ブレードの長手方向軸線（ＬＧ）上に位置する接続点（ＰＲ）を原点とする第一の円弧（ＡＲＣ１）によって形成され、
・前記第一の円弧の直径が前記長手方向軸線上にあり、かつ、
・前記第一の円弧が１８０°以上の中心角（α）を有する、
ことを特徴とする器具。
【請求項２】
前記ノッチが、前記接続点（ＰＲ）から上方に延び、該接続点は第一の円弧（ＡＲＣ１）と等しい直径を有しかつ前記第一の円弧と接する第二の円弧(ＡＲＣ２)につながり、該第二の円弧の中心が、前記接続点の右側で前記長手方向軸線（ＬＧ）上にあることを特徴とする、請求項１に記載の器具。
【請求項３】
前記第一の円弧（ＡＲＣ１）の中心角（α）が１８０°〜２３０°の範囲にあることを特徴とする請求項１または２に記載の器具。
【請求項４】
前記中心角（α）が２２５°に等しいことを特徴とする請求項３に記載の器具。
【請求項５】
二枚のブレード（２１、２２）の間の前記回転軸（ＰＩＶ）上にはスペーサが配置されていることを特徴とする、請求項１〜４のいずれかに記載の器具。
【請求項６】
ホルダ手段（２５）を前記旋回軸（ＰＩＶ）に固定するように設けたことを特徴とする、請求項１〜５のいずれかに記載の器具。
【請求項７】
当接部（２３）が前記ブレード（ＬＡ、２１、２２）の内の一つに設けられ、該等接部がブレードに垂直であることを特徴とする、請求項１〜６のいずれかに記載の器具。
【発明の詳細な説明】
【技術分野】
【０００１】
本発明は、可撓性チューブの巻取器具に関する。例として、用語「可撓性チューブ」は、管、コード、電線、またはケーブルをカバーするために使用される。
【背景技術】
【０００２】
一般に、園芸用ホース、水泳プール吸込管または電線を巻き取る際には困難が生じる。なぜならば、これらはあらゆる方向に捩じれたり、カールしたりして、それによって急速に劣化するからである。これらを満足する方法で巻き取ることは非常に不便である。
【発明の概要】
【発明が解決しようとする課題】
【０００３】
したがって、本発明は、可撓性チューブの巻き取りを容易にしようとするものである。
【課題を解決するための手段】
【０００４】
本発明によれば、可撓性チューブの巻取器具は、二枚の同一のブレードを備え、これらブレードは一方が他方に対し曲がりの向きが反対となるように配置され、それぞれが、軸対称の軸周りに旋回可能に固定され、当該軸が旋回軸を構成する。
【０００５】
さらに、
・一方のブレードは、該ブレードの左縁部が上向きに開口したノッチを形成し、該ノッチは第一の円弧によって形成され、該円弧は、その原点が該ノッチの右縁部に配置された接続点上かつブレードの長手方向軸線上にある。
【０００６】
・第一の円弧の直径は長手方向軸線上にある。
【０００７】
・第一の円弧の中心角は１８０°以上である。
【０００８】
したがって、第一のループが管に形成され、それによって二つのストランドが形成される。本器具は、二つのストランドを対応するノッチに挿入するように開口する。最後に、二つのストランドを拘束し、それによって移動を防ぐように本器具を閉じる。その後、管を巻き取るためにループを回すだけで十分となる。
【０００９】
有利には、ノッチは、第一の円弧に等しい直径を有し、接続点で該第一の円弧と接する第二の円弧に続いて接続点から上方に突出し、第二の円弧の中心は接続点の右側にある長手方向軸線上にある。
【００１０】
それによって、二枚のブレードによって形成される円は、本器具を操作したときにはいかなる状況下でも妨害されないことを確実にすることが可能である。
【００１１】
好ましくは、第一の円弧の中心角は１８０°〜２３０°の範囲にある。
【００１２】
中心角は、管が器具に挿入されている間に、管をわずかに挟むために１８０°を超えることが望ましい。
【００１３】
一例として、中心角は２２５°に等しい。
【００１４】
好ましい実施形態では、スペーサが二枚のブレードの間の旋回軸上に配置される。
【００１５】
より大きな利便性のために、旋回軸に固定されたホルダ手段が設けられている。
【００１６】
最後に、ブレードの１つに当接部を設けることができ、この当接部はブレードに対して垂直である。
【００１７】
本発明は、添付の図面を参照して、例示として与えられる実施形態の以下の説明において、より詳細に明らかになる。
【図面の簡単な説明】
【００１８】
【図１】本発明のブレードの図である。
【図２】開いているときの器具の図である。
【図３】閉じたときの器具の図である。
【００１９】
一つ以上の図面に示されている要素には、それぞれ同じ符号を付している。
【００２０】
図１を参照すると、ブレードＬＡは、短い側が丸みを帯びた矩形の細長板の形態を取り、板は長手方向軸線ＬＧを示す。ブレードは中心ＰＩＶに対して軸対称であり、ＰＩＶは旋回軸を形成する。
【００２１】
ブレードＬＡは、その左縁部に上向きに開口するノッチＥＣを有する。接続点ＰＲは、ノッチＥＣの右縁部と長手方向軸線ＬＧとの間の交点として規定される。
【００２２】
このノッチは、接続点ＰＲを原点として時計回りに延在する第一の円弧ＡＲＣ１の形態を取り、円弧ＡＲＣ１の中心Ｃは長手方向軸線ＬＧ上の接続点ＰＲの左側にあることが理解される。
【００２３】
第一の円弧ＡＲＣ１は、αと記載される中心角を示す。この中心角αは１８０°以上である。実際には、その値を超え、２３０°にもなり得る。典型的には、約２２５°である。
【００２４】
ノッチＥＣは、接続点ＰＲを原点とする第二の円弧ＡＲＣ２によって上方へ連続することが好適である。
【００２５】
この第二の円弧ＡＲＣ２は接続点ＰＲの右側に現れる中心を有し、その中心は長手方向軸線ＬＧ上にある。第二の円弧ＡＲＣ２は第一の円弧ＡＲＣ１と等しい直径を有し、原点ＰＲに対して時計回りに延在する。第二の円弧ＡＲＣ２はブレードＬＡの上縁部に達するときに終端する。
【００２６】
具体的には、ノッチの特別な形状は、以下に示すように第一の円弧ＡＲＣ１の妨害を避けるために設けられている。
【００２７】
ノッチＥＣは、第二の円弧ＡＲＣ２から延びている場合、接続点の右側で他の形状を取っても良い。
【００２８】
二つの円弧ＡＲＣ１およびＡＲＣ２は、垂直な直線に沿って接続点ＰＲで接することに留意されたい。
【００２９】
ブレードＬＡは、旋回軸ＰＩＶに沿って軸対称を呈する。したがって、ブレードＬＡの反対側の右縁部にあるもう一つのノッチを提供する。このもう一つのノッチは対称であるので、これ以上詳細には説明しない。
【００３０】
図２を参照すると、二枚のブレード、すなわち上部ブレード２１および下部ブレード２２は、それらが共通に有する旋回軸ＰＩＶの周りで反対方向に一緒に組み立てられる。組立手段（図示せず）は、ボルト、平坦ピン、リベット、または当業者に知られている任意の他の類似の手段とすることができる。
【００３１】
第一のブレード２１には、後方に突出し、したがってブレードに垂直な当接部２３が見られる。このブレードは、二つの機能を有する。
【００３２】
・本器具を手に持ちやすくすることができる。
【００３３】
・これは、二枚のブレード２１及び２２の互いに対する回転を制限する。
【００３４】
必要に応じて、スペーサ（図示せず）を、旋回軸ＰＩＶに沿って二枚のブレード２１と２２との間に設けてもよい。
【００３５】
本図では、器具は開いた状態で示されており、したがって、可撓性チューブが円弧と同じ直径を有していれば、ノッチの１つにこのチューブを挿入することが可能である。
【００３６】
さらに、ループを形成し、それによって、二つのストランドを提示することにより、第一のストランドを上部ブレード２１の上側ノッチへ、第二のストランドを同じブレードの下側ノッチへ挿入することが可能である。
【００３７】
図３を参照すると、本器具は閉じていることが示されている。二枚のブレードが、それらの長手方向軸線を位置合わせしたときに、二枚のブレードによって形成される二つの円を明瞭に見ることができる。
【００３８】
これらの２つの円の各々は、ループのそれぞれのストランドを捕捉するように働く。それらは本器具を閉じている間、妨害されてはならず、ノッチの形状は第二の円弧ＡＲＣ２から突出している。
【００３９】
捕捉した可撓性チューブを十分に巻いたときに保持するためのホルダ手段２５を見ることができる。このホルダ手段はストラップまたはセルフグリップストリップを有するテープであっても良い。理想的には、ホルダ手段は旋回軸ＰＩＶに固定される。
【００４０】
本発明の上述の実施形態は、その具体的な性質のために選択された。それにもかかわらず、本発明によってカバーされる全ての実施形態を網羅的に列挙することは不可能である。特に、記載した手段のいずれも、本発明の範囲を逸脱することなく、同等の手段によって置き換えることができる。
【図１】
2020528298.tif 000003
【図２】
2020528298.tif 000004
【図３】
2020528298.tif 000005
【国際調査報告】
2020528298.tif 000006
2020528298.tif 000007
2020528298.tif 000008
2020528298.tif 000009
2020528298.tif 000010
2020528298.tif 000011